(57)【要約】【課題】硬質前面により袋体内部の荷物を保護する機能を損なうことなく、素早く手軽に袋体を開閉できるリュックサックを提供する。【解決手段】使用者の背中に接する背中面７と、この背中面７の反対側に設けられた硬質前面１１と、背中面７および硬質前面１１を接続する上側面部３１および底面８とから形成された袋体２を有し、この袋体２の上部を開閉する大口ファスナー３２が上側面部３１に設けられたリュックサック１であって、硬質前面１１が、水平分割部Ｄで上部前面１２と下部前面１６とに分割されて、上部前面１２と下部前面１６とを接続するとともに水平分割部Ｄで屈折自在な屈折帯１５を備え、大口ファスナー３２が、一つの引き手３５を有する線ファスナーであり、大口ファスナー３２の左右下端が、上側面部３１のそれぞれ左右下端近傍に位置し、上側面部３１に、左右下端が水平分割部Ｄの高さ以下に位置する小口ファスナー３３が設けられた。【選択図】図１
0003173052.tif 000002
【実用新案登録請求の範囲】
【請求項１】
使用者の背中に接する背中面と、この背中面の反対側に設けられた硬質前面と、背中面および硬質前面を接続する上側面部および底面とから形成された袋体を有し、この袋体を開閉する第一開閉ファスナーが上側面部に設けられたリュックサックであって、
硬質前面が、分割部で上部前面と下部前面とに分割されて、
上部前面と下部前面とを接続するとともに分割部で屈折自在な屈折帯を備え、
第一開閉ファスナーの左右下端が、分割部の高さ以下に位置することを特徴とするリュックサック。
【請求項２】
第一開閉ファスナーが、一つのスライダーを有する線ファスナーであり、
第一開閉ファスナーの左右下端が、上側面部のそれぞれ左右下端近傍に位置し、
上側面部に、左右下端が分割部の高さ以下に位置して袋体の上部前面を開閉可能な第二開閉ファスナーが設けられたことを特徴とする請求項１に記載のリュックサック。
【請求項３】
第一開閉ファスナーが、二つのスライダーを有する線ファスナーであり、
二つのスライダーの間が、開口することを特徴とする請求項１に記載のリュックサック。
【請求項４】
上部前面の袋体内部側にポケットが設けられ、
このポケットの上部および下部を開閉し得るポケット用ファスナーが、当該ポケットの上端縁部および下端縁部にそれぞれ設けられたことを特徴とする請求項１乃至３のいずれか一項に記載のリュックサック。
【請求項５】
屈折帯が布からなることを特徴とする請求項１乃至４のいずれか一項に記載のリュックサック。
【請求項６】
上部前面が、左上部前面と右上部前面とに分割されて、
左上部前面と右上部前面との間に、袋体の左上部前面または右上部前面を開閉可能な前部ファスナーが設けられたことを特徴とする請求項１乃至５のいずれか一項に記載のリュックサック。
【考案の詳細な説明】
【技術分野】
【０００１】
本考案は、リュックサックに関するものである。
【背景技術】
【０００２】
従来から、リュックサックは、使用者にとって使い勝手をよくするため、様々な改良が施されており、折りたたみ可能なもの、椅子として使用できるもののほか、カートとして使用できるもの（例えば、特許文献１参照）が考え出されている。
【０００３】
この特許文献１に記載のリュックサックは、その袋体を開閉する開閉ファスナーが、一方の側面部の下部から、上部および他方の側面部の下部に亘って設けられており、十分に開口して、荷物の出し入れが容易になるようにされている。
【０００４】
また、最近では、リュックサックの前面を硬質材料からなるものとし、ファッション性を向上させるだけでなく、外部からの衝撃に対して内部の荷物を保護する機能を有するリュックサックが、人気を博している。
【先行技術文献】
【特許文献】
【０００５】
【特許文献１】実用新案登録第３０９８５１８号公報
【考案の概要】
【考案が解決しようとする課題】
【０００６】
ところで、上記特許文献１に記載のリュックサックに、上述した硬質材料からなる前面（以下では硬質前面という）を採用した場合、硬質前面は折れ曲がらないので、ファスナー用スライダーを開閉ファスナーの一端から他端までスライドしなければ、袋体を開口することができない、つまり手軽に開口できないという問題がある。
【０００７】
また、この問題は、硬質前面を採用しなければ解消するが、この場合、外部からの衝撃に対して荷物を保護する機能を損なうことになる。
そこで、本考案は、硬質前面により荷物を保護する機能を損なうことなく、素早く手軽に袋体を開閉することができるリュックサックを提供することを目的とする。
【課題を解決するための手段】
【０００８】
上記課題を解決するため、請求項１に係る本考案のリュックサックは、使用者の背中に接する背中面と、この背中面の反対側に設けられた硬質前面と、背中面および硬質前面を接続する上側面部および底面とから形成された袋体を有し、この袋体を開閉する第一開閉ファスナーが上側面部に設けられたリュックサックであって、
硬質前面が、分割部で上部前面と下部前面とに分割されて、
上部前面と下部前面とを接続するとともに分割部で屈折自在な屈折帯を備え、
第一開閉ファスナーの左右下端が、分割部の高さ以下に位置するものである。
【０００９】
また、請求項２に係る本考案のリュックサックは、請求項１に係る考案のリュックサックにおいて、第一開閉ファスナーが、一つのスライダーを有する線ファスナーであり、
第一開閉ファスナーの左右下端が、上側面部のそれぞれ左右下端近傍に位置し、
上側面部に、左右下端が分割部の高さ以下に位置して袋体の上部前面を開閉可能な第二開閉ファスナーが設けられたものである。
【００１０】
さらに、請求項３に係る本考案のリュックサックは、請求項１に係る考案のリュックサックにおいて、第一開閉ファスナーが、二つのスライダーを有する線ファスナーであり、
二つのスライダーの間が、開口するものである。
【００１１】
また、請求項４に係る本考案のリュックサックは、請求項１乃至３のいずれか一項に係る考案のリュックサックにおいて、上部前面の袋体内部側にポケットが設けられ、
このポケットの上部および下部を開閉し得るポケット用ファスナーが、当該ポケットの上端縁部および下端縁部にそれぞれ設けられたものである。
【００１２】
また、請求項５に係る本考案のリュックサックは、請求項１乃至４のいずれか一項に係る考案のリュックサックの屈折帯が布からなるものである。
また、請求項６に係る本考案のリュックサックは、請求項１乃至３のいずれか一項に係る考案のリュックサックにおいて、上部前面が、左上部前面と右上部前面とに分割されて、
左上部前面と右上部前面との間に、袋体の左上部前面または右上部前面を開閉可能な前部ファスナーが設けられたものである。
【考案の効果】
【００１３】
上記リュックサックによると、硬質前面により袋体内部の荷物を保護する機能を損なうことなく、素早く手軽に袋体を開閉することができる。
【図面の簡単な説明】
【００１４】
【図１】本考案の実施例１に係るリックサックの構成を示す斜視図である。
【図２】同リュックサックの平面図である。
【図３】同リュックサックの正面図である。
【図４】同リュックサックの上部前面による開口を示す斜視図である。
【図５】同リュックサックの内ポケットの使用状態を説明する側面図であり、（ａ）は上部前面を前下方に引き下げない状態の図、（ｂ）は上部前面を前下方に引き下げた状態の図である。
【図６】本考案の実施例２に係るリュックサックの上部前面による開口を示す斜視図である。
【図７】本考案の実施例３に係るリュックサックの構成を示す斜視図である。
【図８】同リュックサックの右上部前面による開口を示す斜視図である。
【考案を実施するための形態】
【実施例１】
【００１５】
以下、本考案の実施例１に係るリュックサックについて、図１〜図５に基づき説明する。
図１に示すように、このリュックサック１は、荷物を収納する袋体２と、この袋体２に設けられて使用者が袋体２を背負う際に使用者の両肩にかける２本の肩ベルト３と、袋体２に設けられてフックなどに引っ掛けられる吊り手４とを備えている。
【００１６】
上記袋体２は、図２および図３に示すように、使用者が袋体２を背負う際に使用者の背中に接する背中面７と、この背中面７の反対側に設けられた硬質前面１１と、背中面７および硬質前面１１を接続する上側面部３１および底面８とから形成されている。上記袋体２は、その上部が大口ファスナーおよび／または小口ファスナー（いずれも後述する）により開閉し得るものである。
【００１７】
上記背中面７は、図２に示すように、使用者の背中にフィットさせるため、略平坦な形状である。また、上記肩ベルト３は、上記背中面７の上端部の左右位置から下端部の左右位置に亘って縫い付けられている。さらに、上記吊り手４は、左右一方の肩ベルト３の上端近くから他方の上端近くに亘って、上側面部３１に縫い付けられている。
【００１８】
次に、本考案の要旨である硬質前面１１および上側面部３１について説明する。
上記硬質前面１１は、軽量の硬質材料からなり、図１および図２に示すように、外周に対し中央が前方（背中面７から硬質前面１１に向かう方向）に突出する湾曲状に形成されて、外部からの衝撃に対して袋体２内部の荷物を保護し得るようにされている。上記軽量の硬質材料としては、例えば、アルミニウムなどの軽金属合金、プラスチック、ＦＲＰなどが用いられる。
【００１９】
上記硬質前面１１は、図１および図３に示すように、線状の水平分割部Ｄで上部前面１２と下部前面１６とに分割されて、これら上部前面１２と下部前面１６とが布からなる屈折帯１５で接続されたものである。具体的に説明すると、この屈折帯１５は、上記水平分割部Ｄ上に沿って位置するとともに、その上端縁および下端縁が、それぞれ上部前面１２の下端縁および下部前面１６の上端縁に縫い付けられたものである。また、上記屈折帯１５は、布からなるため、水平分割部Ｄで屈折自在であり、図４に示すように、上部前面１２を蓋として袋体２を開閉し得るようにされたものである。
【００２０】
上記上側面部３１は、図１に示すように、正面視が逆Ｕ字形状の帯体であり、その左右下端縁が底面８のそれぞれ左右端縁に縫い付けられるとともに、前後両端縁が硬質前面１１および背中面７のそれぞれの周縁（下端縁を除く）に縫い付けられたものである。また、図１および図２に示すように、上側面部３１の左右一方の下端部から他方の下端部に亘って、硬質前面１１全体を蓋として袋体２を開閉し得る大口ファスナー（第一開閉ファスナーである）３２が設けられている。さらに、上側面部３１には、大口ファスナー３２と平行で且つ前方に、上部前面１２のみを蓋として袋体２を開閉し得る小口ファスナー（第二開閉ファスナーである）３３が設けられている。この小口ファスナー３３は、上部前面１２のみを蓋として袋体２を開閉し得る機能を有すれば足りるので、図１および図３に示すように、上記水平分割部Ｄの一端側の僅かに下方から他端側の僅かに下方まで亘るようにされている。すなわち、小口ファスナー３３は、その左右下端が水平分割部Ｄの高さより僅かに下に位置するものである。
【００２１】
また、図４に示すように、上部前面１２の袋体２内部側には、矩形のポケット（以下、内ポケットという）２１が設けられている。この内ポケット２１は、その外周縁が上部前面１２の裏地に縫い付けられており、上端縁部および下端縁部にはポケット用ファスナー２２Ｕ，２２Ｌがそれぞれ設けられたものである。
【００２２】
ところで、上記大口ファスナー３２、小口ファスナー３３、およびポケット用ファスナー２２Ｕ，２２Ｌは、いずれも線ファスナーであり、それぞれ引き手（スライダーをスライドさせるつまみ）３５を一つ有するものである。
【００２３】
以下、上記リュックサック１の使用方法について説明する。
まず、大きな荷物を上記リュックサック１に出し入れする場合について説明する。
この場合、従来のリュックサック１と同様に、大口ファスナー３２の引き手３５を、大口ファスナー３２の一端から他端までスライドさせて、硬質前面１１全体を蓋として袋体２を開口する。そして、この開口から、大きな荷物を袋体２に出し入れする。
【００２４】
次に、小さな荷物を上記リュックサック１に出し入れする場合について説明する。
この場合、小口ファスナー３３の引き手３５を、小口ファスナー３３の一端から他端までスライドさせて、図４に示すように、上部前面１２を蓋として袋体２を開口する。この開口を広げるには、上部前面１２を前下方に引き下げて屈折帯１５を水平分割部Ｄで屈折させる。なお、大口ファスナー３２で開口する場合に比べて、小口ファスナー３３で開口する場合は、開口が小さくて大きな荷物の出し入れには適しないが、引き手３５をスライドさせる長さが短くて済み、素早く手軽に袋体２を開口させ得る。そして、この開口から、小さな荷物を出し入れする。
【００２５】
ところで、内ポケット２１を使用するには、図５（ａ）および（ｂ）に示すように、小口ファスナー３３で袋体２の上部を開口した後、内ポケット２１の上端縁部または下端縁部のポケット用ファスナー２２Ｕ，２２Ｌの引き手をスライドさせて、内ポケット２１を開口する。なお、上部前面１２を前下方に引き下げない場合は、上端縁部のポケット用ファスナー２２Ｕの引き手をスライドさせる［図５（ａ）参照］。また、上部前面１２を前下方に引き下げて内ポケット２１の天地が逆転する場合は、下端縁部のポケット用ファスナー２２Ｌの引き手をスライドさせる［図５（ｂ）参照］。これによって、上部前面１２を前下方に引き下げるか否かに関わらず、内ポケット２１の鉛直上方側を開口できるので、内ポケット２１に荷物を出し入れし易く、また荷物の出し入れの際における、内ポケット２１からの荷物の落下が防止される。
【００２６】
上記リュックサック１の使用後は、室内のフックなどに吊り手４を引っ掛けて、リュックサック１を保管する。
このように、実施例１に係るリュックサック１によると、硬質前面１１による袋体２内部の荷物を保護する機能を損なうことなく、素早く手軽に袋体２を開閉することができる。
【００２７】
また、上端縁部および下端縁部のいずれも開閉し得る内ポケット２１により、内ポケット２１の天地が逆転しても常に鉛直上方側を開口できるので、リュックサック１の利便性を向上させることができる。
【実施例２】
【００２８】
本実施例２に係るリュックサック１は、図６に示すように、上記実施例１に係るリュックサック１に小口ファスナー３３を設けず、大口ファスナー３２の引き手３５を二つにしたものである。これら二つの引き手３５Ｌ，３５Ｒは、これら３５Ｌ，３５Ｒの間が開口する（所謂、両開きである）向きに配置されている。これら以外については、実施例１と実施例２で同一であるから、同一の符号を用いて説明を省略する。
【００２９】
本実施例２に係るリュックサック１では、大きな荷物を出し入れする場合、二つの引き手３５Ｌ，３５Ｒをそれぞれ左右下端までスライドさせて、硬質前面１１全体を蓋として袋体２を開口する。また、小さな荷物を出し入れする場合、二つの引き手３５Ｌ，３５Ｒをそれぞれ水平分割部Ｄの左右両端から僅かに下にまでスライドさせて、上部前面１２のみを蓋として袋体２を開口する。
【００３０】
このように、実施例２に係るリュックサック１によると、上記実施例１に係るリュックサック１と比べて、より簡単な構造で、同一の効果を得ることができる。
【実施例３】
【００３１】
本実施例３に係るリュックサック１は、図７および図８に示すように、上記実施例１または２に係るリュックサック１の上部前面１２を左右に分割したものである。これ以外については、実施例１または２と実施例３で同一であるから、同一の符号を用いて説明を省略する。
【００３２】
本実施例３に係るリュックサック１は、上部前面１２が、左上部前面１３と右上部前面１４とに分割されている。左上部前面１３の右側には左接続帯４３が縫い付けられ、右上部前面１４の左側には右接続帯４４が縫い付けられている。左接続帯４３と右接続帯４４とは、互いに接続し得るようにされている。例えば、スナップ留めが採用されて、左接続帯４３の右接続帯４４と重なる部分の表面にはメスのスナップボタン４３Ｆが取り付けられ、右接続帯４４の左接続帯４３と重なる部分の裏面にはオスのスナップボタン４４Ｍが取り付けられる。なお、スナップ留めは一例であり、面ファスナーなど他の手段を採用してもよい。
【００３３】
また、内ポケット２１は、左上部前面１３または右上部前面１４のいずれか一方（図８では例として右上部前面１４）の袋体２内部側に設けられている。
本実施例３に係るリュックサック１では、上部前面１２を蓋として袋体２を開閉し得るだけでなく、左上部前面１３または右上部前面１４のいずれか一方（図８では例として右上部前面１４）を蓋として袋体２を開閉し得る。このため、実施例１または２に係るリュックサック１に比べて、引き手３５をスライドさせる長さがさらに短くて済み、さらに素早く手軽に袋体２を開閉させ得る。
【００３４】
このように、実施例３に係るリュックサック１によると、上記実施例１および２に係るリュックサック１と比べて、硬質前面１１により袋体２内部の荷物を保護する機能を損なわないまま、さらに素早く手軽に袋体２を開閉することができる。
【００３５】
ところで、上記実施例１〜３において、屈折帯は布からなるとして説明したが、これに限定されるものではなく、ゴム帯やナイロン帯などの樹脂帯など、屈折自在なものであればよい。
【符号の説明】
【００３６】
Ｄ      水平分割部
１      リュックサック
２      袋体
１１    硬質前面
１２    上部前面
１３    左上部前面
１４    右上部前面
１５    屈折帯
１６    下部前面
２１    ポケット
３１    上側面部３１
３２    大口ファスナー
３３    小口ファスナー
３５    引き手
４３    左接続帯
４４    右接続帯
【図１】
0003173052.tif 000003
【図２】
0003173052.tif 000004
【図３】
0003173052.tif 000005
【図４】
0003173052.tif 000006
【図５】
0003173052.tif 000007
【図６】
0003173052.tif 000008
【図７】
0003173052.tif 000009
【図８】
0003173052.tif 000010